【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
正極缶の開口部に負極缶の開口部を嵌合し、正極缶と負極缶とをガスケットを介して密封して形成された密封空間に、セパレータを配置するとともに、前記セパレータを挟んで、正極側には正極活物質を主成分とした正極合剤を配置し、負極側には負極活物質を主成分とした負極合剤を配置し、さらに、その密封空間にアルカリ電解液を充填した扁平形アルカリ一次電池であって、
亜鉛又は亜鉛合金粉末を前記負極活物質とし、オキシ水酸化ニッケルを前記正極活物質とし、亜鉛質量又は亜鉛合金質量に対してオキシ水酸化ニッケルの質量を３．１倍以上、４．４倍以下としたことを特徴とする扁平形アルカリ一次電池。
【請求項２】
請求項１に記載の扁平形アルカリ一次電池において、
前記亜鉛質量又は前記亜鉛合金質量に対してオキシ水酸化ニッケルの質量を３．９倍以上、４．４倍以下としたことを特徴とする扁平形アルカリ一次電池。
【請求項３】
請求項１又は２に記載の扁平形アルカリ一次電池において、
前記オキシ水酸化ニッケルは、平均粒径が５μｍ以上、１００μｍ以下で、かつ、１００メッシュスルーが９０％以上、３２０メッシュスルーが１０％以下であることを特徴とする扁平形アルカリ一次電池。
【請求項４】
請求項１〜３のいずれか１つに記載の扁平形アルカリ一次電池において、
前記オキシ水酸化ニッケルは、タップ密度が２．０ｇ／ｃｍ３以上、２．５ｇ／ｃｍ３以下、比表面積が１０ｍ2／ｇ以上、２０ｍ2／g以下、水分率が０．１％以上、３％以下
、安息角が２０度以上、４０度以下、質量１００mgのオキシ水酸化ニッケル粉末を外径６．４２ｍｍ、厚さ１ｍｍの円柱ペレット状に加工する圧力が１００ＭＰａ以上、５００ＭＰａ以下であることを特徴とする扁平形アルカリ一次電池。
【請求項５】
請求項１〜４のいずれか１つに記載の扁平形アルカリ一次電池において、
前記正極活物質は、亜鉛、アルミニウム、カルシウム、マンガン、コバルト、銅、錫のいずれか１種以上を固溶させたオキシ水酸化ニッケルであることを特徴する扁平形アルカリ一次電池。
【請求項６】
請求項１〜５のいずれか１つに記載の扁平形アルカリ一次電池において、
前記正極合剤は、亜鉛、アルミニウム、カルシウム、マンガン、コバルト、銅、錫のいずれか１種以上を固溶させたオキシ水酸化ニッケルを含有することを特徴とする扁平形アルカリ一次電池。
【請求項７】
請求項１〜６のいずれか１つに記載の扁平形アルカリ一次電池において、
前記正極合剤は、導電剤としての黒鉛が配合され、その配合比は、前記正極合剤に対し質量比で２％以上、５％以下であることを特徴とする扁平形アルカリ一次電池。
【請求項８】
請求項７に記載の扁平形アルカリ一次電池において、
前記黒鉛は、鱗状黒鉛粉末であることを特徴とする扁平形アルカリ一次電池。
【請求項９】
請求項８に記載の扁平形アルカリ一次電池において、
前記鱗状黒鉛粉末は、その結晶子のａ軸方向Ｌａ（１１０）の大きさが１００ｎｍ以下、ｃ軸方向Ｌａ（００４）の大きさが１００ｎｍ以下であり、体積固有抵抗が３０ｍΩ・ｃｍ（１５０ＭＰａ加圧時のｃ軸方向（加圧方向））以下であることを特徴とする扁平形アルカリ一次電池。
【請求項１０】
請求項８又は９に記載の扁平形アルカリ一次電池において、
前記鱗状黒鉛粉末は、その平均粒径が、５μｍ以上、１００μｍ以下で、かつ、３２０メッシュスルーが１０％以下、１００メッシュスルーが９０％以上であることを特徴とする扁平形アルカリ一次電池。
【請求項１１】
請求項８〜１０のいずれか１つに記載の扁平形アルカリ一次電池において、
前記鱗状黒鉛粉末は、前記正極合剤に対する質量比が、２％以上、５％以下であることを特徴とする扁平形アルカリ一次電池。
【請求項１２】
請求項１〜１０のいずれか１つに記載の扁平形アルカリ一次電池において、
前記セパレータは、微多孔膜と不織布からなることを特徴とする扁平形アルカリ一次電池。
【請求項１３】
請求項１２に記載の扁平形アルカリ一次電池において、
前記微多孔膜の厚さは、２０μｍ以上、４０μｍ以下であり、不織布の厚さは、４０μｍ以上、１５０μｍ以下であること特徴とする扁平形アルカリ一次電池。
【請求項１４】
請求項１〜１２のいずれか１つに記載の扁平形アルカリ一次電池において、
前記アルカリ電解液は、水酸化ナトリウム水溶液、水酸化カリウム水溶液、又は、水酸化ナトリウム水溶液と水酸化カリウム水溶液の混合水溶液であって、その一部が前記正極合剤の作製時に予め添加されていることを特徴する扁平形アルカリ一次電池。
【手続補正２】
【補正対象書類名】明細書
【補正対象項目名】０００９
【補正方法】変更
【補正の内容】
【０００９】
請求項１の発明は、正極缶の開口部に負極缶の開口部を嵌合し、正極缶と負極缶をガスケットを介して密封して形成された密封空間に、セパレータを配置するとともに、前記セパレータを挟んで、正極側には正極活物質を主成分とした正極合剤を配置し、負極側には負極活物質を主成分とした負極合剤を配置し、さらに、その密封空間にアルカリ電解液を
充填した扁平形アルカリ一次電池であって、亜鉛又は亜鉛合金粉末を前記負極活物質とし、オキシ水酸化ニッケルを前記正極活物質とし、亜鉛質量又は亜鉛合金質量に対してオキシ水酸化ニッケルの質量を３．１倍以上、４．４倍以下とした。
請求項２の発明は、前記亜鉛質量又は前記亜鉛合金質量に対してオキシ水酸化ニッケルの質量を３．９倍以上、４．４倍以下とした。
【手続補正３】
【補正対象書類名】明細書
【補正対象項目名】００１０
【補正方法】変更
【補正の内容】
【００１０】
これによれば、亜鉛又は亜鉛合金粉末を負極活物質とし、オキシ水酸化ニッケルを正極活物質とする扁平形アルカリ一次電池において、亜鉛質量に対してオキシ水酸化ニッケルの質量を３．１倍以上４．４倍以下、より好ましくは３．９倍以上、４．４倍以下とすることにより、数十ｋΩの定抵抗以上で放電した場合の放電電位が１．５５V〜１．８０Vにでき、しかも、平坦な電池電圧を得ることができる。
【手続補正４】
【補正対象書類名】明細書
【補正対象項目名】００１３
【補正方法】変更
【補正の内容】
【００１３】
請求項３の発明は、この扁平形アルカリ一次電池において、前記オキシ水酸化ニッケルは、平均粒径が５μｍ以上、１００μｍ以下で、かつ、１００メッシュスルーが９０％以上、３２０メッシュスルーが１０％以下である。
【手続補正５】
【補正対象書類名】明細書
【補正対象項目名】００１４
【補正方法】変更
【補正の内容】
【００１４】
これによれば、正極合剤の成型性を確保し電池の耐漏液性を高めるとともに活物質としての反応性を確保し高負荷放電でも平坦な放電特性を維持することができる。
請求項４に記載の発明は、この扁平形アルカリ一次電池において、前記オキシ水酸化ニッケルは、タップ密度が２．０ｇ／ｃｍ３以上、２．５ｇ／ｃｍ３以下、比表面積が１０ｍ2／ｇ以上、２０ｍ2／g以下、水分率が０．１％以上、３％以下、安息角が２０度以上
、４０度以下、質量１００mgのオキシ水酸化ニッケル粉末を外径６．４２ｍｍ、厚さ１ｍｍの円柱ペレット状に加工する圧力が１００ＭＰａ以上、５００ＭＰａ以下である。
【手続補正６】
【補正対象書類名】明細書
【補正対象項目名】００２０
【補正方法】変更
【補正の内容】
【００２０】
請求項５の発明は、この扁平形アルカリ一次電池において、前記正極活物質は、亜鉛、アルミニウム、カルシウム、マンガン、コバルト、銅、錫のいずれか１種以上を固溶させたオキシ水酸化ニッケルである。
【手続補正７】
【補正対象書類名】明細書
【補正対象項目名】００２２
【補正方法】変更
【補正の内容】
【００２２】
請求項６の発明は、この扁平形アルカリ一次電池において、前記正極合剤は、亜鉛、アルミニウム、カルシウム、マンガン、コバルト、銅、錫のいずれか１種以上を固溶させたオキシ水酸化ニッケルを含有する。
【手続補正８】
【補正対象書類名】明細書
【補正対象項目名】００２４
【補正方法】変更
【補正の内容】
【００２４】
請求項７の発明は、この扁平形アルカリ一次電池において、前記正極合剤は、導電剤としての黒鉛が配合され、その配合比は、前記正極合剤に対して質量比で２％以上、５％以下である。
【手続補正９】
【補正対象書類名】明細書
【補正対象項目名】００２５
【補正方法】変更
【補正の内容】
【００２５】
これによれば、放電特性の向上が図れる。
請求項８の発明は、この扁平形アルカリ一次電池において、前記黒鉛は、鱗状黒鉛粉末である。
【手続補正１０】
【補正対象書類名】明細書
【補正対象項目名】００２７
【補正方法】変更
【補正の内容】
【００２７】
請求項９の発明は、この扁平形アルカリ一次電池において、前記鱗状黒鉛粉末は、その結晶子のａ軸方向Ｌａ（１１０）の大きさが１００ｎｍ以下、ｃ軸方向Ｌａ（００４）の大きさが１００ｎｍ以下であり、体積固有抵抗が３０ｍΩ・ｃｍ（１５０ＭＰａ加圧時のｃ軸方向（加圧方向））以下である。
【手続補正１１】
【補正対象書類名】明細書
【補正対象項目名】００２９
【補正方法】変更
【補正の内容】
【００２９】
請求項１０の発明は、この扁平形アルカリ一次電池において、前記鱗状黒鉛粉末は、その平均粒径が、５μｍ以上、１００μｍ以下で、かつ、３２０メッシュスルーが１０％以下、１００メッシュスルーが９０％以上である。
【手続補正１２】
【補正対象書類名】明細書
【補正対象項目名】００３１
【補正方法】変更
【補正の内容】
【００３１】
請求項１１の発明は、この扁平形アルカリ一次電池において、前記鱗状黒鉛粉末は、前
記正極合剤に対する質量比が、２％以上、５％以下である。
これによれば、放電特性が向上するだけでなく、オキシ水酸化ニッケル粉末と鱗状黒鉛粉末の結着効果を利用することにより、低結着剤配合比で作製することが可能となり、その分、容量アップを図ることができる。
【手続補正１３】
【補正対象書類名】明細書
【補正対象項目名】００３２
【補正方法】変更
【補正の内容】
【００３２】
請求項１２の発明は、この扁平形アルカリ一次電池において、前記セパレータは、微多孔膜と不織布からなる。
これによれば、正極と負極間のバリア性を高め容量保存性を向上させるとともに、効果的にアルカリ電解液を保持できることから放電特性も向上させることができる。
【手続補正１４】
【補正対象書類名】明細書
【補正対象項目名】００３３
【補正方法】変更
【補正の内容】
【００３３】
請求項１３の発明は、この扁平形アルカリ一次電池において、前記微多孔膜の厚さは、２０μｍ以上、４０μｍ以下であり、不織布の厚さは、４０μｍ以上、１５０μｍ以下である。
【手続補正１５】
【補正対象書類名】明細書
【補正対象項目名】００３４
【補正方法】変更
【補正の内容】
【００３４】
これによれば、正極と負極間のバリア性を高め容量保存性を向上させるとともに、効果的にアルカリ電解液を保持できることから放電特性も向上させることができる。
請求項１４の発明は、この扁平形アルカリ一次電池において、前記アルカリ電解液は、水酸化ナトリウム水溶液、水酸化カリウム水溶液、又は、水酸化ナトリウム水溶液と水酸化カリウム水溶液の混合水溶液であって、その一部が前記正極合剤の作製時に予め添加されている。
【手続補正１６】
【補正対象書類名】明細書
【補正対象項目名】００７７
【補正方法】変更
【補正の内容】
【００７７】
（１２）最後に、この表１より実施例１〜３と比較例２を比較するに、正極活物質であるオキシ水酸化ニッケルの質量を、負極活性物質である亜鉛質量に対して３．９倍以上４．４倍以下にすることにより、終止電圧１．４Ｖにおける放電容量を向上し、かつ、閉路電圧特性の低下を抑制できることがわかる。